(57)【要約】【課題】交流点灯方式で駆動する発光ダイオード照明において、ちらつき（フリッカ）を軽減することを目的とする。【解決手段】発光ダイオード照明１００は、複数の発光ダイオード１１が直列接続されるとともに、複数の発光ダイオード組Ｌ１〜Ｌ６に分けられた発光ダイオードアレイ１０と、交流電圧を脈動電圧に変換する整流部２０と、各発光ダイオード組Ｌに対応してそれぞれ設けられた複数の電界効果トランジスタＦＥＴ１〜ＦＥＴ６を有し、脈動電圧に追従して複数の電界効果トランジスタＦＥＴ１〜ＦＥＴ６のオンオフを制御して、電流を供給する発光ダイオード組Ｌの数を変更する第１駆動部３０と、各発光ダイオード組Ｌに対して、第１駆動部３０が点灯のための電流を供給する期間において電荷を充電し、第１駆動部３０が点灯のための電流を供給しない期間において電荷を放電する第２駆動部４０を備える。【選択図】図１
2016219198.tif 000002
【特許請求の範囲】
【請求項１】
複数の発光ダイオードが直列接続されるとともに、複数の発光ダイオード組に分けられた発光ダイオードアレイと、
交流電圧を脈動電圧に変換する整流部と、
前記複数の発光ダイオード組を構成する各発光ダイオード組に対応してそれぞれ設けられた複数のスイッチング素子を有し、前記脈動電圧に追従して当該複数のスイッチング素子のオンオフを制御することにより、電流を供給する発光ダイオード組の数を変更して、前記発光ダイオードアレイを駆動する第１駆動部と、
前記複数の発光ダイオード組を構成する各発光ダイオード組に対して、前記第１駆動部が点灯のための電流を供給する期間において電荷を充電し、当該第１駆動部が点灯のための電流を供給しない期間において当該電荷を放電して、前記発光ダイオードアレイを駆動する第２駆動部と
を備える発光ダイオード照明。
【請求項２】
前記第２駆動部は、
前記複数の発光ダイオード組を構成する各発光ダイオード組のそれぞれに対応して設けられた複数のコンデンサと、
前記各発光ダイオード組において、
前記複数のコンデンサのうち前記各発光ダイオード組に対応するコンデンサに電荷を充電する第１電流経路と、
前記複数のコンデンサのうち前記各発光ダイオード組に対応するコンデンサの電荷を当該各発光ダイオード組に放電する第２電流経路と
を備えることを特徴とする請求項１に記載の発光ダイオード照明。
【請求項３】
前記第２駆動部が備える複数のコンデンサは、電解コンデンサよりライフタイムの長いコンデンサであることを特徴とする請求項２に記載の発光ダイオード照明。
【請求項４】
交流電圧を脈動電圧に変換する整流部と、
接続される、複数の発光ダイオードが直列接続されるとともに、複数の発光ダイオード組に分けられた発光ダイオードアレイに対して、当該複数の発光ダイオード組に対応してそれぞれ設けられた複数のスイッチング素子を有し、前記脈動電圧に追従して当該複数のスイッチング素子のオンオフを制御することにより、電流を供給する発光ダイオード組の数を変更して、前記発光ダイオードアレイを駆動する第１駆動部と、
前記複数の発光ダイオード組の各発光ダイオード組に対して、前記第１駆動部が点灯のための電流を供給する期間において電荷を充電し、当該第１駆動部が点灯のための電流を供給しない期間において当該電荷を放電して、前記発光ダイオードアレイを駆動する第２駆動部と
を備える発光ダイオードアレイ駆動回路。
【発明の詳細な説明】
【技術分野】
【０００１】
本発明は、発光ダイオード照明及び発光ダイオードアレイ駆動回路に関する。
【背景技術】
【０００２】
公報記載の従来技術として、商用電源ＶＡＣを全波整流して得られる脈流電圧によりＬＥＤストリングスを駆動するようにして、脈流電圧に応じて複数の電流制御回路の動作を選択的に立ち上げることにより、脈流電圧に応じて駆動に供するＬＥＤ素子数を切り替えるＬＥＤ照明装置が存在する（特許文献１参照）。
【先行技術文献】
【特許文献】
【０００３】
【特許文献１】特開２０１３−３７８３７号公報
【発明の概要】
【発明が解決しようとする課題】
【０００４】
ところで、発光ダイオード照明において、交流を整流した脈流電圧で駆動する交流点灯方式では、発光ダイオードが点灯している期間と不点灯となる期間とが交互に発生し、ちらつき（フリッカ）が生じる。
本発明は、交流点灯方式で駆動する発光ダイオード照明において、ちらつき（フリッカ）を軽減することを目的とする。
【課題を解決するための手段】
【０００５】
本発明が適用される発光ダイオード照明は、複数の発光ダイオードが直列接続されるとともに、複数の発光ダイオード組に分けられた発光ダイオードアレイと、交流電圧を脈動電圧に変換する整流部と、複数の発光ダイオード組を構成する各発光ダイオード組に対応してそれぞれ設けられた複数のスイッチング素子を有し、脈動電圧に追従して複数のスイッチング素子のオンオフを制御することにより、電流を供給する発光ダイオード組の数を変更して、発光ダイオードアレイを駆動する第１駆動部と、複数の発光ダイオード組を構成する各発光ダイオード組に対して、第１駆動部が点灯のための電流を供給する期間において電荷を充電し、第１駆動部が点灯のための電流を供給しない期間において電荷を放電して、発光ダイオードアレイを駆動する第２駆動部とを備える。
このような発光ダイオード照明において、第２駆動部は、複数の発光ダイオード組を構成する各発光ダイオード組のそれぞれに対応して設けられた複数のコンデンサと、各発光ダイオード組において、複数のコンデンサのうち各発光ダイオード組に対応するコンデンサに電荷を充電する第１電流経路と、複数のコンデンサのうち各発光ダイオード組に対応するコンデンサの電荷を各発光ダイオード組に放電する第２電流経路とを備えることを特徴とすることができる。
また、第２駆動部が備える複数のコンデンサは、電解コンデンサよりライフタイムの長いコンデンサであることを特徴とすることができる。
【０００６】
また、他の観点から捉えると、本発明が適用される発光ダイオードアレイ駆動回路は、交流電圧を脈動電圧に変換する整流部と、接続される、複数の発光ダイオードが直列接続されるとともに、複数の発光ダイオード組に分けられた発光ダイオードアレイに対して、複数の発光ダイオード組に対応してそれぞれ設けられた複数のスイッチング素子を有し、脈動電圧に追従して複数のスイッチング素子のオンオフを制御することにより、電流を供給する発光ダイオード組の数を変更して、発光ダイオードアレイを駆動する第１駆動部と、複数の発光ダイオード組の各発光ダイオード組に対して、第１駆動部が点灯のための電流を供給する期間において電荷を充電し、第１駆動部が点灯のための電流を供給しない期間において電荷を放電して、発光ダイオードアレイを駆動する第２駆動部とを備える。
【発明の効果】
【０００７】
本発明によれば、交流点灯方式で駆動する発光ダイオード照明において、ちらつき（フリッカ）が軽減できる。
【図面の簡単な説明】
【０００８】
【図１】第１の実施の形態における発光ダイオード照明の一例の等価回路図である。
【図２】発光ダイオード照明の発光ダイオード組の点灯の状態を時間に対して説明する図である。（ａ）は、第２駆動部を備えない場合、（ｂ）は、第２駆動部を備える場合である。
【図３】発光ダイオード組Ｌ３を例にして、第２駆動部の動作を説明する等価回路図である。
【図４】第２の実施の形態における発光ダイオード照明の等価回路である。
【図５】発光ダイオード組Ｌ３を例にして、第２駆動部の動作を説明する等価回路図である。
【図６】第２駆動部が有る場合（第２駆動部有）と、第２駆動部が無い場合（第２駆動部無）とについて、発光ダイオード組に印加されている電圧の時間に対する関係を示した図である。（ａ）は、発光ダイオード組Ｌ１、（ｂ）は、発光ダイオード組Ｌ２、（ｃ）は、発光ダイオード組Ｌ３である。
【図７】図６と同様に、第２駆動部が有る場合（第２駆動部有）と、第２駆動部が無い場合（第２駆動部無）とについて、発光ダイオード組に印加されている電圧の時間に対する関係を示した図である。（ａ）は、発光ダイオード組Ｌ４、（ｂ）は、発光ダイオード組Ｌ５、（ｃ）は、発光ダイオード組Ｌ６である。
【発明を実施するための形態】
【０００９】
発光ダイオード照明は、屋内照明など低出力の分野において、電球や蛍光灯などの代替として普及が進んでいる。
発光ダイオード照明では、例えば、複数の発光ダイオードを直列接続した発光ダイオードアレイを備えている。そして、発光ダイオードアレイを駆動する方法として、直流点灯方式と交流点灯方式とがある。
【００１０】
直流点灯方式は、例えば１００Ｖなどの交流の商用電源を直流に変換し、変換した直流電圧を発光ダイオードアレイに印加して駆動する。
一方、交流点灯方式は、例えば１００Ｖなどの交流の商用電源を全波整流した脈流電圧を発光ダイオードアレイに印加して駆動する。
【００１１】
発光ダイオード照明の利便性を向上させるには、発光ダイオードアレイと駆動回路とが一体に構成され、発光ダイオードアレイの寿命が尽きるまで、駆動回路を交換せずに使用できることが好ましい。
【００１２】
直流点灯方式では、交流を直流に変換するために、脈動電圧（電流）を平滑化するために容量の大きなコンデンサ（平滑コンデンサ）が用いられる。容量の大きなコンデンサとしては、一般に、電解コンデンサ（ケミカルコンデンサ）が用いられる。しかし、電解コンデンサは、高温で使用すると、発光ダイオードに比べて寿命が短い。例えば、平滑コンデンサとして電解コンデンサを使用する場合、駆動回路の寿命は周囲温度１０５℃では約１０００時間である。
よって、発光ダイオードアレイを構成する発光ダイオードの寿命（約４万時間）が尽きる前に駆動回路の寿命が尽きてしまうため、発光ダイオードアレイと駆動回路とを一体構成しづらい。
【００１３】
一方、交流点灯方式では、交流の商用電源を全波整流した脈流電圧を発光ダイオードアレイに印加する。交流点灯方式の駆動回路は、交流を全波整流するダイオードブリッジなど、発光ダイオードと同等の寿命を有する半導体デバイス（素子）で構成され、容量の大きなコンデンサを要しない。よって、交流点灯方式の駆動回路は、電解コンデンサを用いなくとも構成できる。
よって、交流点灯方式では、発光ダイオードアレイと駆動回路とを一体構成しやすい。
【００１４】
そこで、本実施の形態では、発光ダイオード照明１００において、交流点灯方式を用いている。
【００１５】
以下、添付図面を参照して、本発明の実施の形態について詳細に説明する。
［第１の実施の形態］
＜発光ダイオード照明１００＞
図１は、第１の実施の形態における発光ダイオード照明１００の一例の等価回路図である。
発光ダイオード照明１００は、複数の発光ダイオード１１を直列接続した発光ダイオードアレイ１０、発光ダイオード照明１００に接続される商用電源２００が供給する交流を全波整流する整流部２０、発光ダイオードアレイ１０の点灯を制御する第１駆動部３０及び第２駆動部４０を備える。
ここで、整流部２０、第１駆動部３０及び第２駆動部４０を、発光ダイオードアレイ駆動回路と表記する。
【００１６】
（発光ダイオードアレイ１０）
発光ダイオードアレイ１０は、例えば、４２個の発光ダイオード１１が直列接続されて構成されている。直列接続とは、隣接する発光ダイオード１１間において、アノードとカソードとが交互に接続されていることをいう。
そして、４２個の発光ダイオード１１は、直列接続された７個の発光ダイオード１１で一つの組を構成する。発光ダイオードアレイ１０は、発光ダイオード組Ｌ１〜Ｌ６に分けられている。ここでは、発光ダイオードアレイ１０の端に位置し、アノードが他の発光ダイオード１１のカソードに接続されていない発光ダイオード１１の側から順に、発光ダイオード組Ｌ１〜Ｌ６とする。
なお、発光ダイオード組Ｌ１〜Ｌ６をそれぞれ区別しない場合は、発光ダイオード組Ｌと表記し、番号を指定しないで特定の発光ダイオード組Ｌを示す場合は、発光ダイオード組Ｌｘと表記する。ここで、ｘは、１〜６の整数である。他の用語についても同様とする。
発光ダイオード組Ｌは、ストリングと呼ばれることがある。また、交流点灯方式は、ストリング方式と呼ばれることがある。
【００１７】
発光ダイオードアレイ１０の端に位置し、アノードが他の発光ダイオード１１に接続されていない発光ダイオード１１のアノードを接続点Ｐ０とする。そして、発光ダイオード組Ｌ１と発光ダイオード組Ｌ２との間を接続点Ｐ１、発光ダイオード組Ｌ２と発光ダイオード組Ｌ３との間を接続点Ｐ２とする。以下同様に、接続点Ｐ３、Ｐ４、Ｐ５とする。そして、発光ダイオードアレイ１０の他の端に位置し、カソードが他の発光ダイオード１１のアノードに接続されていない発光ダイオード１１のカソードを接続点Ｐ６とする。
後述するように、接続点Ｐ０は、整流部２０の一方の出力端子が接続される高圧配線２１に接続されている。よって、整流部２０の他方の出力端子が接続される低圧配線２２の第２駆動部４０に接続される接続点を接続点Ｐ７とする。
【００１８】
それぞれの発光ダイオード１１を点灯させるために印加する電圧は、例えば約３Ｖである。
なお、発光ダイオードアレイ１０を構成する発光ダイオード１１の数は、後述するように、印加する電圧（波高値）によって設定すればよく、４２個以外であってもよい。また、組を構成する発光ダイオード１１の数は、７個以外であってもよい。
【００１９】
（整流部２０）
整流部２０は、例えば、４つのダイオードをブリッジに接続したダイオードブリッジで構成されている。この整流部２０により、商用電源２００の供給する交流が全波整流され、脈動電圧を出力する。そして、整流部２０の一方の出力端子に高圧配線２１が接続され、他方の出力端子に低圧配線２２が接続されている。そして、高圧配線２１に高圧電圧ＶＨが、低圧配線２２に低圧電圧ＶＬが出力される。なお、低圧電圧ＶＬは、接地電圧（ＧＮＤ）と表記する場合がある。
高圧配線２１は、接続点Ｐ０、すなわち、発光ダイオードアレイ１０の端に位置する発光ダイオード１１のアノードに接続されている。
【００２０】
商用電源２００の供給する交流電圧を例えば１００Ｖとすると、低圧配線２２の低圧電圧ＶＬに対して、高圧配線２１の高圧電圧ＶＨ（ＶＨ−ＶＬ）は、波高値で１４１Ｖである。また、１００Ｖの−１０％の９０Ｖにおいては、波高値で１２７Ｖである。よって、低圧配線２２の低圧電圧ＶＬに対して、高圧配線２１の高圧電圧ＶＨ（ＶＨ−ＶＬ）が９０Ｖ以上の場合に、オン電圧が約３Ｖの発光ダイオード１１を４２個直列接続した発光ダイオードアレイ１０を点灯させることができる。
なお、商用電源２００の供給する交流電圧は、１００Ｖ以外であってもよい。
【００２１】
（第１駆動部３０）
第１駆動部３０は、演算増幅器（オペアンプ）ＯＰ、６個の電界効果トランジスタＦＥＴ１〜ＦＥＴ６、抵抗Ｒ１１〜Ｒ１６、Ｒ２１〜Ｒ２６、Ｒ３１、Ｒ３２、基準電圧Ｖｒｅｆを発生する基準電圧発生器３１を備えている。ここで、ｘを１〜６の整数とすると、第１駆動部３０は、電界効果トランジスタＦＥＴｘ、抵抗Ｒ１ｘ、抵抗Ｒ２ｘでそれぞれが構成される複数の単位回路３２、演算増幅器ＯＰ、基準電圧Ｖｒｅｆを発生する基準電圧発生器３１及び抵抗Ｒ３１、Ｒ３２とで構成されているとすることができる。
【００２２】
演算増幅器ＯＰは、＋入力端子（正相入力端子、非反転入力端子）、−入力端子（逆相入力端子、反転入力端子）及び出力端子を備えている。そして、＋入力端子には、基準電圧発生器３１から基準電圧Ｖｒｅｆが供給されている。
【００２３】
単位回路３２において、電界効果トランジスタＦＥＴｘのゲートＧは、抵抗Ｒ１ｘを介して抵抗Ｒ２ｘの一方の端子が接続されている。電界効果トランジスタＦＥＴｘのドレインＤは、後述する第２駆動部４０のダイオードＤ３ｘを介して、発光ダイオードアレイ１０の接続点Ｐｘに接続されている。電界効果トランジスタＦＥＴｘのソースＳについては、別途説明する。
なお、電界効果トランジスタＦＥＴ１に、ゲートＧ、ドレインＤ、ソースＳをそれぞれ（Ｇ）、（Ｄ）、（Ｓ）と表記している。
【００２４】
抵抗Ｒ２１〜抵抗Ｒ２６は、順に直列接続されている。そして、抵抗Ｒ２１の一方の端子が、電界効果トランジスタＦＥＴ１のゲートＧに抵抗Ｒ１１を介して接続され、抵抗Ｒ２１の他方の端子が、低圧配線２２に接続されている。また、抵抗Ｒ２６の一方の端子が、電界効果トランジスタＦＥＴ６のゲートＧに抵抗Ｒ１６を介して接続されるとともに、演算増幅器ＯＰの出力端子に接続されている。
【００２５】
電界効果トランジスタＦＥＴ１〜ＦＥＴ６のソースＳは、互いに接続されるとともに、抵抗Ｒ３１を介して低圧配線２２に接続されるとともに、抵抗Ｒ３２を介して低圧配線２２に接続されている。
さらに、抵抗Ｒ３１と電界効果トランジスタＦＥＴ１〜ＦＥＴ６のソースＳとの接続点が演算増幅器ＯＰの−入力端子に接続されている。
【００２６】
なお、電界効果トランジスタＦＥＴ１〜ＦＥＴ６の代わりに、バイポーラトランジスタを用いてもよい。ここで、電界効果トランジスタＦＥＴｘがスイッチング素子の一例である。
【００２７】
演算増幅器ＯＰの出力電圧が直列接続された抵抗Ｒ２１〜Ｒ２６により分圧される。そして、分圧された電圧が電界効果トランジスタＦＥＴ１〜ＦＥＴ６のゲートＧに印加される。
なお、抵抗Ｒ１１〜抵抗Ｒ１６は、電界効果トランジスタＦＥＴ１〜ＦＥＴ６のそれぞれのゲートＧに入力する電流を制限する。
【００２８】
また、演算増幅器ＯＰは、抵抗Ｒ３１、Ｒ３２を流れる電流が変化しても、−入力端子の電圧を維持するように出力電圧を調整する。
すなわち、第１駆動部３０は、発光ダイオードアレイ１０を駆動する定電流回路を構成する。
【００２９】
（第２駆動部４０）
第２駆動部４０は、コンデンサＣ１１〜Ｃ１６、ダイオードＤ１１〜Ｄ１６、Ｄ２１〜Ｄ２６、Ｄ３１〜Ｄ３６、抵抗Ｒ４１〜Ｒ４６、Ｒ５１〜Ｒ５６を備えている。ここで、ｘを１〜６の整数とすると、第２駆動部４０は、コンデンサＣ１ｘ、ダイオードＤ１ｘ、Ｄ２ｘ、Ｄ３ｘ、抵抗Ｒ４ｘ、Ｒ５ｘでそれぞれが構成される複数の単位回路４１で構成されているとすることができる。
すなわち、単位回路４１において、コンデンサＣ１ｘは、一方の端子が、発光ダイオードアレイ１０の接続点Ｐ（ｘ−１）に接続され、他方の端子が、ダイオードＤ１ｘのアノードとダイオードＤ２ｘのカソードとに接続されている。ダイオードＤ１ｘのカソードは、抵抗Ｒ５ｘを介して、接続点Ｐ（ｘ＋１）に接続されている。一方、ダイオードＤ２ｘのアノードは、抵抗Ｒ４ｘを介して、接続点Ｐｘに接続されている。ここで、ダイオードＤ１ｘと抵抗Ｒ５ｘとの接続順を逆にしてもよい。同様に、ダイオードＤ２ｘと抵抗Ｒ４ｘとの接続順を逆にしてもよい。
そして、接続点Ｐｘは、ダイオードＤ３ｘを介して、電界効果トランジスタＦＥＴｘのドレインＤに接続されている。ダイオードＤ３ｘは、接続点Ｐｘから電界効果トランジスタＦＥＴｘのドレインＤに電流が流れる向きに接続されている。
なお、ｘ−１又はｘ＋１などの場合には、（ｘ−１）又は（ｘ＋１）と表記する。他の場合も同様である。
【００３０】
（第１駆動部３０の動作）
次に、第１駆動部３０の動作を説明する。
図２は、発光ダイオード照明１００の発光ダイオード組Ｌｘの点灯の状態を時間に対して説明する図である。図２（ａ）は、第２駆動部４０を備えない場合、図２（ｂ）は、第２駆動部４０を備える場合である。ｘは、１〜６の整数である。
図２（ａ）、（ｂ）において、横軸は時間ｔ、縦軸は高圧電圧ＶＨから低圧電圧ＶＬを引いた電圧（ＶＨ−ＶＬ）である。ここでは、交流の１サイクルを整流した脈動電圧を示している。そして、脈動電圧は、時間ｔ０から時間ｔ１３において、０Ｖから波高値に至り、再び０Ｖに戻る。さらに、時間ｔ１３から時間ｔ２６で同じ波形を繰り返す。すなわち、時間ｔ０から時間ｔ１３が脈動電圧の一周期である。
なお、電圧（ＶＨ−ＶＬ）は、高圧配線２１と低圧配線２２との間に印加される。
そして、図２（ａ）、（ｂ）において、発光ダイオード組Ｌｘの点灯している期間（点灯期間）を斜線で塗りつぶしている。また、斜線を施した部分の縦方向の幅は、発光ダイオード組Ｌｘからの光量としている。
【００３１】
まず、発光ダイオード照明１００が第２駆動部４０を備えないとして、第１駆動部３０の動作を説明する。
図２（ａ）を参照しつつ、図１の発光ダイオード照明１００における第１駆動部３０の動作を説明する。
【００３２】
演算増幅器ＯＰは、＋入力端子が基準電圧Ｖｒｅｆに設定され、−入力端子が抵抗Ｒ３１と電界効果トランジスタＦＥＴ１のソースＳとの接続点に接続されている。よって、演算増幅器ＯＰの出力端子は、電界効果トランジスタＦＥＴ１のソースＳの電位をＶｒｅｆに設定する電圧を出力する。なお、演算増幅器ＯＰの出力端子は、電界効果トランジスタＦＥＴ６のゲートＧに抵抗Ｒ１６を介して接続されるとともに、直列接続された抵抗Ｒ２１〜Ｒ２６に接続されている。そして、抵抗Ｒ２１〜抵抗Ｒ２６のそれぞれの接続点は電界効果トランジスタＦＥＴ１〜ＦＥＴ５のゲートＧに抵抗Ｒ１１〜Ｒ１５をそれぞれ介して接続されている。よって、電界効果トランジスタＦＥＴ１〜ＦＥＴ６のゲートＧには、演算増幅器ＯＰの出力端子の電圧が、直列接続された抵抗Ｒ２１〜Ｒ２６で分圧された電圧が印加される。
【００３３】
以下では、図２（ａ）の時間ｔ０から時間ｔ１３の順に説明する。
時間ｔ０において、電圧（ＶＨ−ＶＬ）は０Ｖである。よって、発光ダイオードアレイ１０のいずれの発光ダイオード組Ｌｘも点灯しない。
このとき、電界効果トランジスタＦＥＴ１〜ＦＥＴ６のそれぞれのゲートＧの電圧が、電界効果トランジスタＦＥＴ１〜ＦＥＴ６をオン（状態）にするように、抵抗Ｒ２１〜抵抗Ｒ２６の抵抗値が設定されている。
すなわち、時間ｔ０では、すべての電界効果トランジスタＦＥＴ１〜ＦＥＴ６がオンである。
【００３４】
時間ｔ０から時間ｔ１の間において、電圧（ＶＨ−ＶＬ）が増加する。
時間ｔ１において、電圧（ＶＨ−ＶＬ）が発光ダイオード組Ｌ１を点灯させることができる電圧に達する。すると、電界効果トランジスタＦＥＴ１〜ＦＥＴ６がオンであるので、電流は、発光ダイオード組Ｌ１、電界効果トランジスタＦＥＴ１、及び、抵抗Ｒ３１と抵抗Ｒ３２との並列回路を流れる。そして、発光ダイオード組Ｌ１が点灯する。
【００３５】
時間ｔ１から時間ｔ２の間において、電圧（ＶＨ−ＶＬ）がさらに増加する。
時間ｔ２において、電圧（ＶＨ−ＶＬ）が発光ダイオード組Ｌ１、Ｌ２を点灯させることができる電圧に達する。この際、電界効果トランジスタＦＥＴ１のソースＳの電圧が上昇しようとする。このため、演算増幅器ＯＰは、電界効果トランジスタＦＥＴ１のソースＳの電圧を維持しようとして、出力電圧を低下させる。すると、電界効果トランジスタＦＥＴ１のゲートＧの電圧が低下し、電界効果トランジスタＦＥＴ１がオフになる。よって、電流は、発光ダイオード組Ｌ１、Ｌ２、電界効果トランジスタＦＥＴ２、及び、抵抗Ｒ３１と抵抗Ｒ３２との並列回路を流れる。そして、発光ダイオード組Ｌ１に加え、発光ダイオード組Ｌ２が点灯する。
【００３６】
同様に、時間ｔ３において、電圧（ＶＨ−ＶＬ）が発光ダイオード組Ｌ１〜Ｌ３を点灯させることができる電圧に達する。電界効果トランジスタＦＥＴ２がオフになり、電流は、発光ダイオード組Ｌ１〜Ｌ３、電界効果トランジスタＦＥＴ３、及び、抵抗Ｒ３１と抵抗Ｒ３２との並列回路を流れる。そして、発光ダイオード組Ｌ１、Ｌ２に加え、発光ダイオード組Ｌ３が点灯する。
その後、時間ｔ６において、電圧（ＶＨ−ＶＬ）が発光ダイオード組Ｌ１〜Ｌ６を点灯させることができる電圧に達する。すると、電界効果トランジスタＦＥＴ５がオフになり、電流は、発光ダイオード組Ｌ１〜Ｌ６、電界効果トランジスタＦＥＴ６、及び、抵抗Ｒ３１と抵抗Ｒ３２との並列回路を流れる。そして、発光ダイオード組Ｌ１〜Ｌ５に加えて、発光ダイオード組Ｌ６が点灯する。
【００３７】
次に、時間ｔ７において、電圧（ＶＨ−ＶＬ）が発光ダイオード組Ｌ１〜Ｌ５を点灯させることができる電圧に減少すると、上記とは逆に、電界効果トランジスタＦＥＴ１のソースＳの電圧が低下する。このため、演算増幅器ＯＰは、電界効果トランジスタＦＥＴ１のソースＳの電圧を維持しようとして、出力電圧を上昇させる。すると、電界効果トランジスタＦＥＴ５のゲートＧの電圧が上昇し、電界効果トランジスタＦＥＴ５がオンになる。よって、電流は、発光ダイオード組Ｌ１〜Ｌ５、電界効果トランジスタＦＥＴ５、及び、抵抗Ｒ３１と抵抗Ｒ３２との並列回路を流れる。すなわち、発光ダイオード組Ｌ６が消灯し、発光ダイオード組Ｌ１〜Ｌ５が点灯を維持する。
以下、時間ｔ１３まで、同様に動作する。
【００３８】
なお、第１駆動部３０は、発光ダイオードアレイ１０を定電流で駆動するので、光量を表す斜線を施した部分の縦方向の幅は、発光ダイオード組Ｌｘで同じとした。
【００３９】
以上説明したように、第１駆動部３０による発光ダイオード照明１００では、交流を整流した脈動電圧に応じて、電界効果トランジスタＦＥＴｘをオンオフ（オン／オフ）させることで、点灯させる発光ダイオード組Ｌｘの数を変更して（切り替えて）いる。これにより、交流を整流した脈動電圧により、発光ダイオード照明１００を点灯させている。
なお、直列接続された抵抗Ｒ２１〜Ｒ２６及び直列接続された抵抗Ｒ３１、Ｒ３２のそれぞれの抵抗値は、上記の切り替えができるように設定されている。
すなわち、第１駆動部３０は、脈動電圧に追従して、自動的に電界効果トランジスタＦＥＴｘのオン／オフを切り替えることができる。よって、他に制御回路などを設けることを要しない。
【００４０】
以上において説明した、第２駆動部４０を備えていない場合においては、例えば、発光ダイオード組Ｌ１は、図２（ａ）において、時間ｔ１で点灯し、時間ｔ１２で消灯する。そして、発光ダイオード組Ｌ１は、時間ｔ１４まで点灯しない。時間ｔ１２から時間ｔ１４までは不点灯期間となる。同様に、発光ダイオード組Ｌ２は、時間ｔ１１から時間ｔ１５までが不点灯期間となる。そして、ｘが大きい発光ダイオード組Ｌｘ（例えば発光ダイオード組Ｌ５、Ｌ６）ほど、ｘが小さい発光ダイオード組Ｌｘ（例えば、発光ダイオード組Ｌ１、Ｌ２）に比べて、不点灯期間が長い。
換言すれば、時間ｔ１２から時間ｔ１４までは、いずれの発光ダイオード組Ｌも点灯しない。また、時間ｔ１から時間ｔ１２までにおいて、いずれかの発光ダイオード組Ｌが点灯している期間でも、時間ｔにより点灯している発光ダイオード組Ｌの数が異なる。例えば、時間ｔ６から時間ｔ７では、発光ダイオード組Ｌ１〜Ｌ６が点灯しているが、時間ｔ５から時間ｔ６では、発光ダイオード組Ｌ１〜Ｌ５が点灯している。このため、発光ダイオード照明１００からの光量に、商用電源２００が供給する交流の周波数の２倍の周期でちらつき（フリッカ）が発生する。
なお、時間ｔ０から時間ｔ２６が繰り返されるので、時間ｔ０以前及び時間ｔ２６以降も同様である。
【００４１】
そこで、第１の実施の形態の発光ダイオード照明１００では、第２駆動部４０を設けて、ちらつき（フリッカ）を軽減している。以下では、第２駆動部４０の動作を説明する。
【００４２】
（第２駆動部の動作）
図３は、発光ダイオード組Ｌ３を例にして、第２駆動部４０の動作を説明する等価回路図である。ここでは、他の発光ダイオード組Ｌについては、第２駆動部４０の単位回路４１を構成するコンデンサＣ１ｘ、ダイオードＤ１ｘ、Ｄ２ｘ、抵抗Ｒ４ｘ、Ｒ５ｘを記載していない。
【００４３】
ここでは、図２（ｂ）を参照しつつ、図３において、第２駆動部４０の動作を説明する。
時間ｔ３において、発光ダイオード組Ｌ３が点灯する。このとき、電界効果トランジスタＦＥＴ３〜ＦＥＴ６はオンである。よって、発光ダイオード組Ｌ４と発光ダイオード組Ｌ５との接続点Ｐ４から電界効果トランジスタＦＥＴ４に向かう配線（接続点Ｐ４）の電圧は、発光ダイオード組Ｌ２と発光ダイオード組Ｌ３との接続点Ｐ２の電圧より低い。よって、発光ダイオード組Ｌ２を経由する電流の一部が、第１電流経路Ｉにしたがって、コンデンサＣ１３を充電し始める。ここで、第１電流経路Ｉにおいて、抵抗Ｒ５３は電流制限抵抗であり、ダイオードＤ１３は逆流防止である。
【００４４】
そして、時間ｔ４において、電界効果トランジスタＦＥＴ３がオフになり、発光ダイオード組Ｌ１〜Ｌ４が点灯する状態になる。しかし、接続点Ｐ２の電圧は、接続点Ｐ４の電圧より高いので、コンデンサＣ１３の充電が継続する。
すなわち、コンデンサＣ１３の充電は、図２（ａ）に示す第２駆動部４０を備えない場合に発光ダイオード組Ｌ３の点灯が終了する時間ｔ１０まで継続する。
【００４５】
第２駆動部４０を備えているため、時間ｔ１０になると、コンデンサＣ１３に充電（蓄積）された電荷により、接続点Ｐ２と接続点Ｐ３との間の電圧が、発光ダイオード組Ｌ３を点灯させることができる電圧となる。そして、コンデンサＣ１３の電荷が第２電流経路ＩＩにより発光ダイオード組Ｌ３に放電されて、発光ダイオード組Ｌ３の点灯を継続する。
このとき、電界効果トランジスタＦＥＴ２、ＦＥＴ３がオンになっても、接続点Ｐ２、Ｐ３が低圧電圧ＶＬ（接地電圧（ＧＮＤ））になるのを抑制する逆流防止のために、ダイオードＤ３２、Ｄ３３が設けられている。付言すると、ダイオードＤ３２、Ｄ３３を備えていないと、コンデンサＣ１３から、発光ダイオード組Ｌ３に電流が供給できない。
なお、図２（ｂ）では、コンデンサＣ１３から供給される電流が、第１駆動部３０（図１参照）から供給される電流より小さいとして、光量を小さく表記している。また、電流がコンデンサＣ１３から供給されるため、光量を時間ｔに対して減衰するように示している。
すなわち、第１の実施の形態における発光ダイオード照明１００は、第２駆動部４０を備えているので、第１駆動部３０から電流の供給が停止しても、第２駆動部４０から電流の供給がされるため、第２駆動部４０を備えない場合における不点灯期間においても、点灯を維持する。
ここで、第２電流経路ＩＩにおいて、抵抗Ｒ４３は電流制限抵抗であり、ダイオードＤ２３は逆流防止である。
【００４６】
そして、図３に示すように、発光ダイオード組Ｌ３に対するコンデンサＣ１３は、一方の端子が接続点Ｐ２、他方の端子がダイオードＤ１３と抵抗Ｒ５３とを介して、接続点Ｐ４に接続している。これは、第１電流経路ＩでコンデンサＣ１３を充電する際、コンデンサＣ１３に印加される電圧を高くするためである。コンデンサＣ１３の他方の端子を、ダイオードＤ１３と抵抗Ｒ５３とを介して、接続点Ｐ３に接続してもよいが、接続点Ｐ４に接続した場合に比べ、コンデンサＣ１３に印加される電圧が小さくなり、充電（蓄積）される電荷量も小さくなってしまう。
なお、コンデンサＣ１３の他方の端子を、ダイオードＤ１３と抵抗Ｒ５３とを介して、接続点Ｐ５に接続してもよい。この場合、発光ダイオード組Ｌ６に対するコンデンサＣ１６の他方の端子は、ダイオードＤ１６と抵抗Ｒ５６とを介して、接続点Ｐ７に接続することになる。
【００４７】
他の発光ダイオード組Ｌについても同様である。
【００４８】
以上説明したように、第１の実施の形態の発光ダイオード照明１００では、第１駆動部３０により、交流電圧を整流した脈動電圧に応じて、電界効果トランジスタＦＥＴｘをオン／オフさせることで、点灯させる発光ダイオード組Ｌの数を切り替えている。これにより、交流電圧を整流した脈動電圧により、発光ダイオード照明１００を点灯させている。
さらに、第１駆動部３０から発光ダイオード組Ｌに点灯のための電流が供給されない期間（第２駆動部４０を備えない場合の不点灯期間）において、第２駆動部４０により、電流を供給して、発光ダイオード組Ｌの点灯を継続させている。
しかも、第２駆動部４０は、第１駆動部３０による電界効果トランジスタＦＥＴｘのオン／オフに追従して、自動的にコンデンサＣ１ｘの充電、放電を行うことができる。よって、他に制御回路を設けることを要しない。
このことにより、発光ダイオード照明１００のちらつき（フリッカ）を軽減している。
【００４９】
なお、第２駆動部４０から電流を供給する期間（第２駆動部４０を備えない場合における不点灯期間）における発光ダイオード組Ｌｘの光量は、コンデンサＣ１ｘに充電（蓄積）された電荷量に依存する。よって、コンデンサＣ１ｘに充電される電荷量が大きいほど好ましい。よって、コンデンサＣ１ｘの容量及び／又は印加される電圧の設定により、発光ダイオード組Ｌｘの光量を設定すればよい。
また、ｘが大きい発光ダイオード組Ｌｘ（例えば発光ダイオード組Ｌ５、Ｌ６）ほど、ｘが小さい発光ダイオード組Ｌｘ（例えば、発光ダイオード組Ｌ１、Ｌ２）に比べて、第１駆動部３０から電流が供給されない期間（第２駆動部４０を備えない場合における不点灯期間）が長い。このため、ｘが大きい発光ダイオード組Ｌｘほど、ｘが小さい発光ダイオード組Ｌｘに比べて、コンデンサＣ１ｘの容量を大きくしてもよい。
【００５０】
コンデンサＣ１ｘは、電解コンデンサ（ケミカルコンデンサ）よりライフタイム（寿命）が長いコンデンサとすることができる。電解コンデンサよりライフタイムが長いコンデンサとは、電解コンデンサと異なり、極性を有しないコンデンサであって、例えば、フィルムコンデンサ、セラミックコンデンサなどをいう。これらのコンデンサは、電解コンデンサに比べ劣化しにくく、寿命が長い。よって、駆動回路を発光ダイオードアレイ１０と一体構成しやすい。
【００５１】
上記においては、発光ダイオード照明１００が、第２駆動部４０を備えない場合と、備える場合とを説明した。しかし、発光ダイオード照明１００において、第２駆動部４０を働かせる場合と、第２駆動部４０を働かさない場合とを切り替えることができるようにしてもよい。例えば、コンデンサＣ１ｘのダイオードＤ１ｘ及びダイオードＤ２ｘと接続されていない側の端子側に、スイッチを介在させ、第２駆動部４０を働かせる場合には、このスイッチをオンにし、第２駆動部４０を働かせない場合には、このスイッチをオフにしてもよい。これらのスイッチは、メカニカルなスイッチであってもよく、電界効果トランジスタやバイポーラトランジスタのような半導体で構成されたスイッチであってもよい。
【００５２】
また、生産時に、第２駆動部４０が実装できるプリント配線基板（ＰＷＢ：ｐｒｉｎｔｅｄ  ｗｉｒｉｎｇ  ｂｏａｒｄ）とし、第２駆動部４０を実装した製品と、未実装の製品とで区別化を図るようにしてもよい。プリント配線基板を共通にすることで、コストダウンが図れる。
【００５３】
［第２の実施の形態］
第１の実施の形態では、図３に示したように、第２駆動部４０における第２電流経路ＩＩにダイオードＤ２３を挿入して逆流防止とした。この場合、ダイオードＤ２３の順方向電圧により、発光ダイオード組Ｌｘに供給できる電流が制限される。
そこで、第２の実施の形態では、ダイオードＤ２３の代わりにバイポーラトランジスタ（図４に示すバイポーラトランジスタＴｒｘ）を用いる。バイポーラトランジスタのエミッタ−コレクタ間の電圧は、ダイオードの順方向電圧より小さくできる。
【００５４】
＜発光ダイオード照明１００＞
図４は、第２の実施の形態における発光ダイオード照明１００の等価回路である。
第２の実施の形態における発光ダイオード照明１００は、第１の実施の形態における発光ダイオード照明１００と同様に、発光ダイオードアレイ１０、整流部２０、第１駆動部３０及び第２駆動部４０を備える。
そして、発光ダイオードアレイ１０、整流部２０、第１駆動部３０の構成は、第１の実施の形態の発光ダイオード照明１００と同様であるが、第２駆動部４０が異なっている。よって、同様な部分については同じ符号を付して説明を省略し、以下では、第２駆動部４０を説明する。
【００５５】
（第２駆動部４０）
図４に示すように、第２駆動部４０は、発光ダイオード組Ｌ２〜Ｌ６に対しては、同じ単位回路４２が繰り返すことで構成されている。よって、単位回路４２を説明する。
単位回路４２は、ｘを２〜６の整数とすると、バイポーラトランジスタＴｒｘ、コンデンサＣ１ｘ、ダイオードＤ１ｘ、Ｄ３ｘ、抵抗Ｒ５ｘ、Ｒ６ｘ、Ｒ７ｘ、Ｒ８ｘで構成されている。ここで、コンデンサＣ１ｘ、ダイオードＤ１ｘ、Ｄ３ｘ、抵抗Ｒ５ｘは、図１に示した第１の実施の形態と同様である。よって、説明を省略する。
なお、バイポーラトランジスタＴｒｘのエミッタＥ、コレクタＣ、ベースＢは、バイポーラトランジスタＴｒ１に、（Ｅ）、（Ｃ）、（Ｂ）として示している。
【００５６】
バイポーラトランジスタＴｒｘのエミッタＥは、コンデンサＣ１ｘとダイオードＤ１ｘとの接続点に接続されている。バイポーラトランジスタＴｒｘのコレクタＣは、抵抗Ｒ８ｘを介して、接続点Ｐｘに接続されている。
バイポーラトランジスタＴｒｘのベースＢは抵抗Ｒ６ｘを介して、電界効果トランジスタＦＥＴ（ｘ−１）のドレインＤに接続されている。
また、バイポーラトランジスタＴｒｘのベースＢは、抵抗Ｒ７ｘを介してエミッタＥに接続されている。
【００５７】
そして、接続点Ｐ（ｘ＋１）と電界効果トランジスタＦＥＴｘのドレインＤとを接続する配線上にダイオードＤ３ｘが設けられている。
【００５８】
なお、発光ダイオード組Ｌ１に対しては、第１の実施の形態と同様に、コンデンサＣ１１、ダイオードＤ１１、Ｄ２１、Ｄ３１、抵抗Ｒ４１、Ｒ５１が設けられている。そして、接続点Ｐ１と電界効果トランジスタＦＥＴ１のソースＳとが、直接接続されている。この理由については、後述する。
【００５９】
図５は、発光ダイオード組Ｌ３を例にして、第２駆動部４０の動作を説明する等価回路図である。ここでは、他の発光ダイオード組Ｌについては、第２駆動部４０の単位回路４２を構成するバイポーラトランジスタＴｒｘ、コンデンサＣ１ｘ、ダイオードＤ１ｘ、抵抗Ｒ５ｘ、Ｒ６ｘ、Ｒ７ｘ、Ｒ８ｘを記載していない。
【００６０】
（第２駆動部４０の動作）
次に、図２（ａ）、（ｂ）を参照しつつ、図５により第２の実施の形態における発光ダイオード照明１００の第２駆動部４０の動作を説明する。
第１電流経路Ｉを介して行われるコンデンサＣ１３の充電は、第１の実施の形態の場合と同様である。
このとき、コンデンサＣ１３の一方の端子は、接続点Ｐ２に接続され、他方の端子は、ダイオードＤ１３及び抵抗Ｒ５３を介して、電界効果トランジスタＦＥＴ４のドレインＤに接続されている（図４参照）。また、電界効果トランジスタＦＥＴ４のドレインＤは、ダイオードＤ３４を介して、接続点Ｐ４に接続されている。よって、コンデンサＣ１３の両端子間は、２つの発光ダイオード組Ｌに印加される電圧に近い電圧で充電される。
【００６１】
次に、第２電流経路ＩＩによって、コンデンサＣ１３に充電（蓄積）された電荷が放電されて、発光ダイオード組Ｌ３を点灯させる場合を説明する。
図２（ａ）の時間ｔ１０になると、電界効果トランジスタＦＥＴ２がオンになって、発光ダイオード組Ｌ１、Ｌ２及び電界効果トランジスタＦＥＴ３を介して電流が流れるようになる。すると、バイポーラトランジスタＴｒ３のベースＢは、エミッタＥより高い電圧となって、ベースＢ−エミッタＥ間が順バイアスになる。これにより、バイポーラトランジスタＴｒ３がオンになる。そして、第２電流経路ＩＩを介して、コンデンサＣ１３に充電されていた電荷が放電される。このとき、コンデンサＣ１３の電圧を、発光ダイオード組Ｌ３を点灯できる電圧とすることで、時間ｔ１０以降においても、発光ダイオード組Ｌ３は、点灯を継続する。
なお、抵抗Ｒ６３は、バイポーラトランジスタＴｒ３のベースＢへの電流制限抵抗、抵抗Ｒ８３は、第２電流経路ＩＩにおける電流制限抵抗である。抵抗Ｒ７３は、バイポーラトランジスタＴｒ３のオフ状態を維持するためのバイアス抵抗である。
そして、ダイオードＤ３２、Ｄ３３は、第１の実施の形態で説明したように、接続点Ｐ２、Ｐ３が電界効果トランジスタＦＥＴ２、ＦＥＴ３がオンになることにより、低圧電圧ＶＬ（接地電圧（ＧＮＤ））になるのを抑制する逆流防止のために設けられている。
【００６２】
なお、発光ダイオード組Ｌ１に対しては、第１の実施の形態の単位回路４１を使用した。これは、単位回路４２を使用すると、単位回路４２のバイポーラトランジスタＴｒｘ（バイポーラトランジスタＴｒ１になる）が常時オンになってしまうためである。
【００６３】
また、バイポーラトランジスタＴｒ６のベースＢを、電界効果トランジスタＦＥＴ４のドレインＤに接続してもよい。
さらに、バイポーラトランジスタＴｒｘのベースＢを、抵抗６ｘを介して、低圧配線２２に接続してもよい。
【００６４】
以上説明したように、第２の実施の形態の発光ダイオード照明１００でも、第１駆動部３０により、交流電圧を整流した脈動電圧に応じて、電界効果トランジスタＦＥＴｘをオン／オフさせることで、点灯させる発光ダイオード組Ｌの数を切り替えている。これにより、交流電圧を整流した脈動電圧により、発光ダイオード照明１００を点灯させている。
さらに、第１駆動部３０から発光ダイオード組Ｌに点灯のための電流が供給されない期間（第２駆動部４０を備えない場合の不点灯期間）において、第２駆動部４０により、電流を供給して、発光ダイオード組Ｌの点灯を継続させている。
そして、バイポーラトランジスタＴｒｘを用いることにより、コンデンサＣ１ｘに充電（蓄積）された電荷をより多く発光ダイオード組Ｌｘに供給している。
このことにより、発光ダイオード照明１００のちらつき（フリッカ）を軽減している。
【００６５】
なお、第２駆動部４０から電流を供給する期間（第２駆動部４０を備えない場合における不点灯期間）における発光ダイオード組Ｌｘの光量は、コンデンサＣ１ｘに充電（蓄積）された電荷量に依存する。よって、コンデンサＣ１ｘの電荷量が大きいほど好ましい。よって、コンデンサＣ１ｘの容量及び／又は印加される電圧の設定により、発光ダイオード組Ｌｘの光量を設定すればよい。
また、ｘが大きい発光ダイオード組Ｌｘ（例えば発光ダイオード組Ｌ５、Ｌ６）ほど、ｘが小さい発光ダイオード組Ｌｘ（例えば、発光ダイオード組Ｌ１、Ｌ２）に比べて、第１駆動部３０から電流が供給されない期間（第２駆動部４０を備えない場合における不点灯期間）が長い。このため、ｘが大きい発光ダイオード組Ｌｘほど、ｘが小さい発光ダイオード組Ｌｘに比べて、コンデンサＣ１ｘの容量を大きくしてもよい。
【００６６】
コンデンサＣ１ｘは、電解コンデンサ（ケミカルコンデンサ）よりライフタイム（寿命）が長いコンデンサとすることができる。電解コンデンサよりライフタイムが長いコンデンサとは、電解コンデンサと異なり、極性を有しないコンデンサであって、例えば、フィルムコンデンサ、セラミックコンデンサなどをいう。これらのコンデンサは、電解コンデンサに比べ劣化しにくく、寿命が長い。よって、駆動回路を発光ダイオードアレイ１０と一体構成しやすい。
【００６７】
第１の実施の形態と同様に、発光ダイオード照明１００において、第２駆動部４０を働かせる場合と、第２駆動部４０を働かさない場合とを切り替えることができるようにしてもよい。例えば、コンデンサＣ１ｘのダイオードＤ１ｘと接続されていない側の端子側に、スイッチを介在させ、第２駆動部４０を働かせる場合には、このスイッチをオンにし、第２駆動部４０を働かせない場合には、このスイッチをオフにしてもよい。これらのスイッチは、メカニカルなスイッチであってもよく、電界効果トランジスタやバイポーラトランジスタのような半導体で構成されたスイッチであってもよい。
【００６８】
また、第１の実施の形態と同様に、生産時に、第２駆動部４０が実装できるプリント配線基板（ＰＷＢ：ｐｒｉｎｔｅｄ  ｗｉｒｉｎｇ  ｂｏａｒｄ）とし、第２駆動部を実装した製品と、未実装の製品とで、区別化を図るようにしてもよい。プリント配線基板を共通にすることで、コストダウンが図れる。
【００６９】
図６は、第２駆動部４０が有る場合（第２駆動部有）と、第２駆動部４０が無い場合（第２駆動部無）とについて、発光ダイオード組Ｌｘに印加されている電圧の時間ｔに対する関係を示した図である。図６（ａ）は、発光ダイオード組Ｌ１、図６（ｂ）は、発光ダイオード組Ｌ２、図６（ｃ）は、発光ダイオード組Ｌ３である。
図７は、図６と同様に、第２駆動部４０が有る場合（第２駆動部有）と、第２駆動部４０が無い場合（第２駆動部無）とについて、発光ダイオード組Ｌｘに印加されている電圧の時間ｔに対する関係を示した図である。図７（ａ）は、発光ダイオード組Ｌ４、図７（ｂ）は、発光ダイオード組Ｌ５、図７（ｃ）は、発光ダイオード組Ｌ６である。
図６（ａ）、（ｂ）、（ｃ）、図７（ａ）、（ｂ）、（ｃ）において、左側が第２駆動部有、右側が第２駆動部無である。そして、横軸が時間ｔ、縦軸が発光ダイオード組に印加されている電圧である。
【００７０】
図６（ａ）に示す発光ダイオード組Ｌ１は、図２（ａ）、（ｂ）に示したように、他の発光ダイオード組Ｌに比べ、点灯している時間が長い。しかし、図６（ａ）の右側に示す第２駆動部４０を備えない場合（第２駆動部無）は、短いながらも周期的に電圧が低下する不点灯期間がある。これに対し、左側に示す第２駆動部４０を備える場合（第２駆動部有）は、電圧の低下が小さく、点灯が継続している。
また、図７（ｃ）に示す発光ダイオード組Ｌ６は、図２（ａ）、（ｂ）に示したように、他の発光ダイオード組Ｌに比べ、点灯している時間が短い。よって、図７（ｃ）の右側に示す第２駆動部４０を備えない場合（第２駆動部無）は、周期的に電圧が低下する不点灯期間が長い。これに対し、左側に示す第２駆動部４０を備える場合（第２駆動部有）は、電圧が低下する期間がほとんど見られず、点灯が継続している。
他の発光ダイオード組Ｌについても同様である。
【００７１】
第１の実施の形態及び第２の実施の形態で説明した等価回路は、一例であって、他の構成の回路を用いてもよい。
その他、本発明の趣旨に反しない限りにおいて様々な変形を行っても構わない。
【符号の説明】
【００７２】
１０…発光ダイオードアレイ、１１…発光ダイオード、２０…整流部、３０…第１駆動部、３１…基準電圧発生器、３２、４１、４２…単位回路、４０…第２駆動部、１００…発光ダイオード照明、２００…商用電源
【図１】
2016219198.tif 000003
【図２】
2016219198.tif 000004
【図３】
2016219198.tif 000005
【図４】
2016219198.tif 000006
【図５】
2016219198.tif 000007
【図６】
2016219198.tif 000008
【図７】
2016219198.tif 000009